(57)【要約】【目的】特定の範囲の地域に依存したニュース情報や広告情報等の位置依存情報を携帯端末の位置や携帯端末のユーザ属性に応じて、効率的に配信するシステムを提供することを目的とする【構成】無線機能を備えた携帯端末５０１、５０２、無線基地局５０３、５０４、基地局管理サーバ５０７、ネットワーク５０８、インデクス配信サーバ５０９、位置制約を含む情報を格納する位置依存情報データベース５１０、データ配信サーバ５１１という構成であり、インデクス配信サーバ５０９は、基地局サーバからの報告で受け取った位置情報にマッチするインデクス情報を携帯端末に配信し、携帯端末のユーザは配信されたインデクス情報を選択し、選択したインデクス情報に対応する情報本体を取得する。【選択図】　図５
2004005339.tif 000002
【特許請求の範囲】
【請求項１】
配信に関する位置制約と関連づけられた情報（以下、位置依存情報という）を配信先となる携帯端末の位置に応じて配信するシステムにおいて、
１）前記位置依存情報から前記位置依存情報を特定するデータ識別子と前記位置制約を含むインデクス情報を抽出するインデクス抽出手段、
２）前記携帯端末の位置を特定する位置特定手段、
３）前記特定された位置が前記位置制約を満たすかどうかを判別する判別手段、
４）前記位置制約を満たすと判別された携帯端末に前記位置依存情報のインデクス情報を配信するインデクス情報配信手段、
５）前記インデクス情報に含まれる前記データ識別子を利用して前記位置依存情報を要求してくる携帯端末に対して、前記データ識別子に対応する位置依存情報を送信する位置依存情報データベース
を構成要素として含むことを特徴とする配信システム。
【請求項２】
前記抽出されたインデクス情報を格納するインデクス情報データベースを備えることを特徴とする特許請求範囲第１項記載の配信システム。
【請求項３】
前記位置依存情報データベースは地理上の位置に対応させて区分されたデータ領域を備え、前記位置の制約に対応するデータ領域に前記位置依存情報を格納することを特徴とする特許請求範囲第１項記載の配信システム。
【請求項４】
前記インデクス情報の配信は、通信手段によることを特徴とする特許請求範囲第１項記載の配信システム。
【請求項５】
前記通信手段は、無線によることを特徴とする特許請求範囲第４項記載の配信システム。
【請求項６】
前記通信手段は、ＲＦＩＤ（非接触ＩＤ方式）もしくは接触ＩＣ方式によることを特徴とする特許請求範囲第４項記載の配信システム。
【請求項７】
前記通信手段は、光によることを特徴とする特許請求範囲第４項記載の配信システム。
【請求項８】
前記インデクス情報の配信は、放送手段によることを特徴とする特許請求範囲第１項記載の配信システム。
【請求項９】
前記放送手段は、無線、光から選ばれる少なくとも１つによることを特徴とする特許請求範囲第８項記載の配信システム。
【請求項１０】
前記インデクス情報の配信は、磁気媒体によることを特徴とする特許請求範囲第１項記載の配信システム。
【請求項１１】
前記携帯端末に画像取得解析手段を設け、前記インデクス情報をコード画像化し、前記コード画像化された画像を前記携帯端末の画像取得解析手段により前記インデクス情報画像を取得解析し、前記インデクス情報を配信することを特徴とする特許請求範囲第１項記載の配信システム。
【請求項１２】
前記インデクス情報をコード化した画像は、表示手段上での表示もしくは印刷されたコード画像であることを特徴とする第１１項記載の配信システム。
【請求項１３】
前記コードは２次元コードであることを特徴とする第１１項記載の配信システム。
【請求項１４】
前記被印刷媒体は紙であることを特徴とする第１２項記載の配信システム。
【請求項１５】
前記インデクス情報配信手段は、インデクス情報配信制限設定手段を備え、配信できるインデクスの数の上限を設定できることを特徴とする特許請求範囲第１項記載の配信システム。
【請求項１６】
前記インデクス情報データベースは、地理上の位置に対応させて区分されたデータ領域を備え、前記位置制約に対応するデータ領域に前記インデクス情報を格納することを特徴とする特許請求範囲第２項記載の配信システム。
【請求項１７】
前記インデクス情報は、前記位置依存情報の更新時、所定の時間経過から選ばれる少なくとも１つのタイミングに更新されることを特徴とする特許請求範囲第２項記載の配信システム。
【請求項１８】
前記位置依存情報は、さらに配信先の嗜好属性に関する制約、配信の時間に関する制約、あるいはその両者と関連づけられ、
前記判別手段は、前記配信先の嗜好属性に関する制約、前記配信の時間に関する制約、あるいはその両者を満たすかどうかをさらに判定することを特徴とする特許請求範囲第１項記載の配信システム。
【請求項１９】
前記位置制約は、前記インデクス情報が配信許可される地理的範囲を少なくとも含み、さらに必要に応じて前記携帯端末がインデクス情報を受信許可される地理的範囲を含む制約であることを特徴とする特許請求範囲第１項記載の配信システム。
【請求項２０】
前記配信先の嗜好属性を入力する嗜好入力手段を備え、前記判別手段は前記入力された嗜好属性を判定することを特徴とする特許請求範囲第１８項記載の配信システム。
【請求項２１】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第２０項記載の配信システム。
【請求項２２】
前記位置特定手段は、前記携帯端末に搭載されたＧＰＳシステムから取得される位置情報、１以上の前記携帯端末と接続している無線通信手段の無線基地局と該携帯端末との無線交信状態を解析することによって取得される位置情報、あるいはその両者を組み合わせて得られる位置情報により位置を特定することを特徴とする特許請求範囲第１項記載の情報配信システム。
【請求項２３】
前記ＧＰＳシステムには必要に応じてジャイロシステムを有することを特徴とする特許請求範囲第２２項記載の情報配信システム。
【請求項２４】
前記位置依存情報の配信は、通信手段によることを特徴とする特許請求範囲第１項記載の配信システム。
【請求項２５】
前記通信手段は、無線、光から選ばれる少なくとも１つによるものであることを特徴とする特許請求範囲第２４項記載の配信システム。
【請求項２６】
前記配信されたインデクス情報から、前記位置依存情報を要求するために利用する前記インデクス情報を選択するインデクス選択手段をさらに備えることを特徴とする特許請求範囲第１項記載の配信システム。
【請求項２７】
位置依存情報を配信先となる携帯端末の位置に応じて配信するシステムにおいて、
１）前記位置依存情報を特定するデータ識別子と前記位置制約を含むインデクス情報を格納するインデクス情報データベース、
２）前記携帯端末の位置を特定する位置特定手段
３）前記携帯端末からアクセスされ、前記特定された位置を参照して、前記位置制約を満たすインデクス情報を検索し一覧表示するインデクス検索サイト、
４）前記一覧表示されたインデクス情報に含まれる前記データ識別子を利用して前記位置依存情報を要求してくる携帯端末に対して、前記データ識別子に対応する位置依存情報を送信する位置依存情報データベース
を構成要素として含むことを特徴とする配信システム。
【請求項２８】
前記インデクス情報データベースは前記位置依存情報から抽出されたインデクス情報を格納することを特徴とする特許請求範囲第２７項記載の配信システム。
【請求項２９】
前記位置依存情報データベースは地理上の位置に対応させて区分されたデータ領域を備え、前記位置の制約に対応するデータ領域に前記位置依存情報を格納することを特徴とする特許請求範囲第２７項記載の配信システム。
【請求項３０】
前記インデクス検索サイトは、検索数制限手段を備え、検索できるインデクス情報数の上限を設定できることを特徴とする特許請求範囲第２７項記載の配信システム。
【請求項３１】
前記インデクス情報データベースは、地理上の位置に対応させて区分されたデータ領域を備え、前記位置制約に対応するデータ領域に前記インデクス情報を格納することを特徴とする特許請求範囲第２７項記載の配信システム。
【請求項３２】
前記インデクス情報は、前記位置依存情報の更新時、所定の時間経過から選ばれる少なくとも１つのタイミングに更新されることを特徴とする特許請求範囲第２７項記載の配信システム。
【請求項３３】
前記位置依存情報は、さらに配信先の嗜好属性に関する制約もしくは配信の時間に関する制約と関連づけられ、前記インデクス情報は、前記配信先の嗜好属性に関する制約もしくは前記配信の時間に関する制約をさらに含み、前記インデクス検索サイトはさらに配信先の嗜好属性に関する制約もしくは配信の時間に関する制約を参照して、前記インデクス情報を検索することを特徴とする特許請求範囲第２７項記載の配信システム。
【請求項３４】
前記位置制約は、前記インデクス情報が表示許可される地理的範囲、前記携帯端末がインデクス情報をアクセス許可される地理的範囲から選ばれた少なくとも１つであることを特徴とする特許請求範囲第２７項記載の配信システム。
【請求項３５】
前記配信先の嗜好属性を入力する嗜好入力手段を備え、入力された嗜好属性を参照して前記配信先の嗜好属性に関する制約が満たすインデクス情報を検索することを特徴とする特許請求範囲第３３項記載の配信システム。
【請求項３６】
前記入力された嗜好属性を前記携帯端末のユーザと関連づけて格納するユーザデータベースを備え、前記検索は該ユーザデータベースに格納された嗜好属性を参照して行われることを特徴とする特許請求範囲第３５項記載の配信システム。
【請求項３７】
前記位置特定手段は前記携帯端末に搭載されたＧＰＳシステムから取得される位置情報、１以上の前記携帯端末と接続している無線通信手段の無線基地局と該携帯端末との無線交信状態を解析することによって取得される位置情報、あるいはその両者を組み合わせて得られる位置情報により位置を特定することを特徴とする特許請求範囲第２７項記載の情報配信システム。
【請求項３８】
前記ＧＰＳシステムには必要に応じてジャイロシステムを有することを特徴とする特許請求範囲第３７項記載の情報配信システム。
【請求項３９】
前記アクセス及び前記位置依存情報の配信は、無線通信手段によることを特徴とする特許請求範囲第２７項記載の配信システム。
【請求項４０】
前記無線通信手段は、無線、光から選ばれる少なくとも１つによることを特徴とする特許請求範囲第３９項記載の配信システム。
【請求項４１】
前記検索されたインデクス情報から、前記位置依存情報を要求するために利用する前記インデクス情報を選択するインデクス選択手段をさらに備えることを特徴とする特許請求範囲第２７項記載の配信システム。
【請求項４２】
配信に関する位置制約と関連づけられた情報（以下、位置依存情報という）を配信先となる携帯端末の位置に応じて配信するシステムにおいて、
１）前記位置依存情報から前記位置依存情報を特定するデータ識別子と前記位置制約を含むインデクス情報を抽出するインデクス抽出手段、
２）前記携帯端末の位置を特定する位置特定手段、
３）前記携帯端末に備えられ、前記特定された位置が前記位置制約を満たすかどうかを判別する判別手段、
４）前記位置制約を満たすと判別されたインデクス情報を受信する、前記携帯端末に備えられたインデクス情報受信手段、
５）前記インデクス情報を利用して前記位置依存情報を要求してくる携帯端末に対して、前記データ識別子に対応する位置依存情報を送信する位置依存情報データベース
を構成要素として含むことを特徴とする配信システム。
【請求項４３】
前記抽出されたインデクス情報を格納するインデクス情報データベースを備えることを特徴とする特許請求範囲第４２項記載の配信システム。
【請求項４４】
前記位置依存情報データベースは地理上の位置に対応させて区分されたデータ領域を備え、前記位置の制約に対応するデータ領域に前記位置依存情報を格納することを特徴とする特許請求範囲第４２項記載の配信システム。
【請求項４５】
前記インデクス情報受信手段は、通信手段によることを特徴とする特許請求範囲第４２項記載の配信システム。
【請求項４６】
前記通信手段は、無線によることを特徴とする特許請求範囲第４５項記載の配信システム。
【請求項４７】
前記通信手段は、非接触ＩＤ方式（ＲＦＩＤ）もしくは接触ＩＣ方式によることを特徴とする特許請求範囲第４５項記載の配信システム。
【請求項４８】
前記通信手段は、光によることを特徴とする特許請求範囲第４５項記載の配信システム。
【請求項４９】
前記インデクス情報の配信は、放送手段によることを特徴とする特許請求範囲第４２項記載の配信システム。
【請求項５０】
前記放送手段は、無線、光から選ばれる少なくとも１つによることを特徴とする特許請求範囲第４９項記載の配信システム。
【請求項５１】
前記インデクス情報受信手段は、磁気媒体によることを特徴とする特許請求範囲第４２項記載の配信システム。
【請求項５２】
前記携帯端末に画像取得解析手段を設け、前記インデクス情報をコード画像化し、前記コード画像化された画像を前記携帯端末の画像取得解析手段により前記インデクス情報画像を取得解析し、前記インデクス情報を配信することを特徴とする特許請求範囲第４２項記載の配信システム。
【請求項５３】
前記インデクス情報をコード化した画像は、表示手段上での表示もしくは印刷されたコード画像であることを特徴とする第５２項記載の配信システム。
【請求項５４】
前記コードは２次元コードであることを特徴とする第５２項記載の配信システム。
【請求項５５】
前記被印刷媒体は紙であることを特徴とする第５３項記載の配信システム。
【請求項５６】
前記インデクス情報受信手段は、インデクス情報受信制限設定手段を備え、受信できるインデクスの数の上限を設定できることを特徴とする特許請求範囲第４２項記載の配信システム。
【請求項５７】
前記インデクス情報データベースは、地理上の位置に対応させて区分されたデータ領域を備え、前記位置制約に対応するデータ領域に前記インデクス情報を格納することを特徴とする特許請求範囲第４２項記載の配信システム。
【請求項５８】
前記インデクス情報は、前記位置依存情報の更新時、所定の時間経過から選ばれる少なくとも１つのタイミングに更新されることを特徴とする特許請求範囲第４３項記載の配信システム。
【請求項５９】
前記位置依存情報は、さらに配信先の嗜好属性に関する制約もしくは配信の時間に関する制約と関連づけられ、
前記判別手段は、前記配信先の嗜好属性に関する制約もしくは前記配信の時間に関する制約を満たすかどうかをさらに判定することを特徴とする特許請求範囲第４２項記載の配信システム。
【請求項６０】
前記位置制約は、前記インデクス情報が配信許可される地理的範囲、前記携帯端末がインデクス情報を受信許可される地理的範囲から選ばれた少なくとも１つであることを特徴とする特許請求範囲第４２項記載の配信システム。
【請求項６１】
前記配信先の嗜好属性を入力する嗜好入力手段を備え、前記判別手段は前記入力された嗜好属性を判定することを特徴とする特許請求範囲第５９項記載の配信システム。
【請求項６２】
前記入力された嗜好属性を前記携帯端末のユーザと関連づけて格納するメモリーを備え、前記判定は該メモリーに格納された嗜好属性を参照して行われることを特徴とする特許請求範囲第５９項記載の配信システム。
【請求項６３】
前記位置特定手段は、前記携帯端末に搭載されたＧＰＳシステムから取得される位置情報、１以上の前記携帯端末と接続している無線通信手段の無線基地局と該携帯端末との無線交信状態を解析することによって取得される位置情報、あるいはその両者を組み合わせて得られる位置情報により位置を特定することを特徴とする特許請求範囲第４２項記載の情報配信システム。
【請求項６４】
前記ＧＰＳシステムには必要に応じてジャイロシステムを有することを特徴とする特許請求範囲第６３項記載の情報配信システム。
【請求項６５】
前記位置依存情報の配信は、通信手段によることを特徴とする特許請求範囲第４２項記載の配信システム。
【請求項６６】
前記通信手段は、無線、光から選ばれる少なくとも１つによるものであることを特徴とする特許請求範囲第６５項記載の配信システム。
【請求項６７】
前記受信したインデクス情報から、前記位置依存情報を要求するために利用する前記インデクス情報を選択するインデクス選択手段をさらに備えることを特徴とする特許請求範囲第４２項記載の配信システム。
【請求項６８】
位置依存情報を配信先となる携帯端末の位置に応じて配信するシステムにおいて、
１）前記位置依存情報データベースから前記位置依存情報を特定するデータ識別子と前記位置制約を含むインデクス情報を抽出するインデクス抽出手段、
２）前記インデクス情報を配信の基地局に送信する送信手段、
３）前記携帯端末の位置を特定する位置特定手段、
４）前記配信の基地局に備えられた、前記特定された位置が該基地局に送信されたインデクス情報に含まれる位置制約を満たすかどうかを判別する判別手段、
５）前記位置制約を満たすと判別された携帯端末に前記位置依存情報のインデクス情報を配信する、前記配信の基地局に備えられたインデクス情報配信手段、
６）前記インデクス情報を利用して前記位置依存情報を要求してくる携帯端末に対して、前記データ識別子に対応する位置依存情報を送信する位置依存情報データベース
を構成要素として含むことを特徴とする配信システム。
【請求項６９】
前記抽出されたインデクス情報を格納するインデクス情報データベースを備えることを特徴とする特許請求範囲第６８項記載の配信システム。
【請求項７０】
前記位置依存情報データベースは地理上の位置に対応させて区分されたデータ領域を備え、前記位置の制約に対応するデータ領域に前記位置依存情報を格納することを特徴とする特許請求範囲第６８項記載の配信システム。
【請求項７１】
前記インデクス情報の前記基地局への送信は、通信手段によることを特徴とする特許請求範囲第６８項記載の配信システム。
【請求項７２】
前記通信手段は、無線によることを特徴とする特許請求範囲第７１項記載の配信システム。
【請求項７３】
前記インデクス情報の前記基地局への送信は、放送手段によることを特徴とする特許請求範囲第６８項記載の配信システム。
【請求項７４】
前記放送手段は、無線、光から選ばれる少なくとも１つによることを特徴とする特許請求範囲第７３項記載の配信システム。
【請求項７５】
前記インデクス情報の前記基地局への送信は、有線の通信手段もしくは有線の放送手段によることを特徴とする特許請求範囲第６８項記載の配信システム。
【請求項７６】
前記インデクス情報配信手段は、インデクス情報配信制限設定手段を備え、配信できるインデクスの数の上限を設定できることを特徴とする特許請求範囲第６８項記載の配信システム。
【請求項７７】
前記インデクス情報データベースは、地理上の位置に対応させて区分されたデータ領域を備え、前記位置制約に対応するデータ領域に前記インデクス情報を格納することを特徴とする特許請求範囲第６９項記載の配信システム。
【請求項７８】
前記インデクス情報は、前記位置依存情報の更新時、所定の時間経過から選ばれる少なくとも１つのタイミングに更新されることを特徴とする特許請求範囲第６９項記載の配信システム。
【請求項７９】
前記位置依存情報は、さらに配信先の嗜好属性に関する制約もしくは配信の時間に関する制約と関連づけられ、
前記判別手段は、前記配信先の嗜好属性に関する制約もしくは前記配信の時間に関する制約を満たすかどうかをさらに判定することを特徴とする特許請求範囲第６８項記載の配信システム。
【請求項８０】
前記位置制約は、前記インデクス情報が配信許可される地理的範囲、前記携帯端末がインデクス情報を受信許可される地理的範囲から選ばれた少なくとも１つであることを特徴とする特許請求範囲第６８項記載の配信システム。
【請求項８１】
前記配信先の嗜好属性を入力する嗜好入力手段を備え、前記判別手段は前記入力された嗜好属性を判定することを特徴とする特許請求範囲第７９項記載の配信システム。
【請求項８２】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第７９項記載の配信システム。
【請求項８３】
前記位置特定手段は、前記携帯端末に搭載されたＧＰＳシステムから取得される位置情報、１以上の前記携帯端末と接続している無線通信手段の無線基地局と該携帯端末との無線交信状態を解析することによって取得される位置情報、あるいはその両者を組み合わせて得られる位置情報により位置を特定することを特徴とする特許請求範囲第６８項記載の情報配信システム。
【請求項８４】
前記ＧＰＳシステムには必要に応じてジャイロシステムを有することを特徴とする特許請求範囲第８３項記載の情報配信システム。
【請求項８５】
前記位置依存情報の配信は、無線通信手段によることを特徴とする特許請求範囲第６８項記載の配信システム。
【請求項８６】
前記無線通信手段は、近距離無線、無線、光から選ばれる少なくとも１つによるものであることを特徴とする特許請求範囲第８５項記載の配信システム。
【請求項８７】
前記配信されたインデクス情報から、前記位置依存情報を要求するために利用する前記インデクス情報を選択するインデクス選択手段をさらに備えることを特徴とする特許請求範囲第６８項記載の配信システム。
【発明の詳細な説明】
【０００１】
【産業上の利用分野】
本発明はユーザが所持して移動する携帯端末に位置依存情報を配信するシステムに関し、さらには位置依存情報からインデクス情報を抽出し、ユーザの位置やユーザの希望する情報種別、配信時間などの属性に合致した位置情報に対応するインデクス情報を効率的に配信してインデクス情報に基づいて位置依存情報をユーザに取得させるシステムに関する。さらには、情報に位置制約という限定をつけることにより、情報価値を高めてユーザに情報を提供するシステムに関する。
【０００２】
【従来の技術】
従来、特定の範囲の地域に限定したニュース情報や広告情報等の位置依存情報の携帯端末に対する配信は、携帯端末の位置情報を検索キーに情報データベースを検索して取得するか、ユーザ自身が検索サイトにアクセスし適当な検索キーを指定して該当地区の情報を検索して位置依存情報を取得する方法による配信が中心であった。
【０００３】
【発明が解決しようとする課題】
本発明は、位置依存情報を携帯端末の位置や携帯端末のユーザ属性に応じて、効率的に配信するシステムを提供すること、さらには携帯端末から位置依存情報データベースに対して特定の時間、場所からアクセスが集中しても安定的に情報を配信するシステムを提供することを課題とする。また、ユーザの単純なジャンル分類による情報種別だけで位置依存情報が配信されるのではなく、ユーザの複数の要望を総合して位置依存情報を配信するシステムが待ち望まれていた。さらには、位置制約を利用して、情報配信することにより、限定から生まれる情報価値をコントロールできるシステムが望まれていた。
【０００４】
【課題を解決するための手段】
前述の課題を解決するために本発明者らは鋭意研究の結果以下の手段をとった。第１の発明においては、データベースに蓄積された少なくとも位置情報を含む位置依存情報を携帯端末の位置に応じて配信する情報配信システムにおいて、
１）位置依存情報から前記位置依存情報を特定するデータ識別子と前記位置制約を含むインデクス情報を抽出するインデクス抽出手段、
２）携帯端末の位置を特定する位置特定手段、
３）特定された位置が前記位置制約を満たすかどうかを判別する判別手段、
４）位置制約を満たすと判別された携帯端末に位置依存情報のインデクス情報を配信するインデクス情報配信手段、
５）インデクス情報に含まれるデータ識別子を利用して、位置依存情報を要求してくる携帯端末に対して、前記データ識別子に対応する位置依存情報を送信する位置依存情報データベース
を構成要素に含むシステムを採用した。
【０００５】
ここで抽出されたインデクス情報を格納するインデクス情報データベースを備える構成としてもよい。前述の抽出された位置依存情報のインデクス情報をインデクス情報ＤＢに格納し、さらに実際の地図上の位置に対応させて前述のデータベースあるいはインデクス情報データベース上に設定された予め地域区分されたデータ領域（配信インデクス情報領域）に振り分け該当部分に格納すると、例えば、位置制約のみを異にする複数の位置依存情報を適当に地域区分されたデータ領域に振り分けて配置することにより、情報の「見え方」を設定するのに効果的である。
【０００６】
インデクス情報配信としては、通信による配信と放送による配信とが採用できる。通信手段としては、本発明のシステムで行う個別サービスに応じて、各種電波帯の無線、ＲＦＩＤ、接触ＩＣ、光のいずれかを採用すると効果的である。放送手段としては、無線、光から選ばれる少なくとも１つを採用するとよい。あるいはインデクス情報の配信に、磁気媒体を利用しても良い。
【０００７】
携帯端末に画像取得解析手段を設け、インデクス情報をコード画像化し、このコード画像化された画像を携帯端末の画像取得解析手段によりインデクス情報画像を取得解析する方式をインデクス情報の配信に採用することもよいやり方である。
【０００８】
このインデクス情報をコード化した画像は、ＬＣＤなどの表示手段上での表示もしくは印刷されたコード画像であるとよい。ここで、前述のコードは２次元コードであると、多くのインデクス情報を配信できてよい。また、前述の被印刷媒体は紙であるとチラシや手紙などで配信するなどユニークなサービスを展開できてよい。
【０００９】
前述のインデクス情報配信手段は、インデクス情報配信制限設定手段を備え、配信できるインデクスの数の上限を設定できると、該当する位置依存情報の情報価値を高める効果を得ることができる。
【００１０】
インデクス情報は、位置依存情報の更新時、所定の時間経過から選ばれる少なくとも１つのタイミングに更新されるとよい。
【００１１】
位置依存情報は、さらに配信先の嗜好属性に関する制約、配信の時間に関する制約、あるいはその両者と関連づけられ、前述の判別手段は配信先の嗜好属性に関する制約、配信の時間に関する制約、あるいはその両者を満たすかどうかをさらに判定するとユーザに必要な時間帯に必要な情報をフィルタリングして配信することができるので効率的な配信となってよい。また、配信先の嗜好属性を入力する嗜好入力手段を備え、前述の判別手段は入力された嗜好属性を判定するとよい。さらには入力された嗜好属性を携帯端末のユーザと関連づけて格納するユーザデータベースを備え、判定は該ユーザデータベースに格納された嗜好属性を参照して行われる
【００１２】
ここで位置制約は、インデクス情報が配信許可される地理的範囲を少なくとも含み、さらに必要に応じて携帯端末がインデクス情報を受信許可される地理的範囲を含む制約であると、同じ位置依存情報を同じ位置にいる複数の携帯端末に対して異なった配信をできてよい。
【００１３】
前述の位置特定手段は前述の携帯端末に搭載されたＧＰＳシステムから取得される位置情報、あるいは１以上の前述の携帯端末と接続している無線通信手段の無線基地局と該携帯端末との無線交信状態を解析することによって取得される位置情報あるいはその両者を組み合わせて得られる位置情報により位置を特定すればよい。そしてさらに前述のＧＰＳシステムには必要に応じてジャイロシステムを設けてもよい。
【００１４】
位置依存情報の配信は、通信手段による。ここで通信手段としては、無線、光から選ばれる少なくとも１つによることが望ましい。
【００１５】
位置依存情報を要求するために利用するインデクス情報を指定するために、配信されたインデクス情報から、必要なインデクス情報を選択するインデクス選択手段をさらに備えることが望ましい。
【００１６】
第２の発明においては、位置依存情報を携帯端末の位置に応じて配信する情報配信システムにおいて、
１）位置依存情報を特定するデータ識別子と位置制約を含むインデクス情報を格納するインデクス情報データベース、
２）携帯端末の位置を特定する位置特定手段
３）前述の携帯端末からアクセスされ、位置特定手段で特定された位置を参照して、位置制約を満たすインデクス情報を検索し一覧表示するインデクス検索サイト、
４）一覧表示されたインデクス情報に含まれるデータ識別子を利用して位置依存情報を要求してくる携帯端末に対して、データ識別子に対応する位置依存情報を送信する位置依存情報データベース
を構成要素として含むシステムを採用した。
【００１７】
前述のインデクス情報データベースは位置依存情報から抽出されたインデクス情報を格納する。ここでさらに実際の地図上の位置に対応させて前述の位置依存情報データベースあるいはインデクス情報データベース上に設定された予め地域区分されたデータ領域（配信インデクス情報領域）に振り分け、該当部分に格納すると、例えば、位置制約のみを異にする複数の位置依存情報を適当に地域区分されたデータ領域に振り分けて配置することにより、情報の「見え方」を設定するのに効果的である。
【００１８】
前述のインデクス検索サイトは、検索数制限設定手段を備え、配信できるインデクスの数の上限を設定できると、該当する位置依存情報の情報価値を高める効果を得ることができる。
【００１９】
インデクス情報は、位置依存情報の更新時、所定の時間経過から選ばれる少なくとも１つのタイミングに更新されるとよい。
【００２０】
位置依存情報は、さらに配信先の嗜好属性に関する制約、配信の時間に関する制約、あるいはその両者と関連づけられ、前述の判別手段は配信先の嗜好属性に関する制約、配信の時間に関する制約、あるいはその両者を満たすかどうかをさらに判定するとユーザに必要な時間帯に必要な情報をフィルタリングして配信することができるので効率的な配信となってよい。また、配信先の嗜好属性を入力する嗜好入力手段を備え、前述の判別手段は入力された嗜好属性を判定するとよい。さらには入力された嗜好属性を携帯端末のユーザと関連づけて格納するユーザデータベースを備え、判定は該ユーザデータベースに格納された嗜好属性を参照して行われる。
【００２１】
ここで位置制約は、インデクス情報が表示許可される地理的範囲を少なくとも含み、さらに必要に応じて携帯端末がインデクス情報をアクセス許可される地理的範囲を含む制約であると、同じ位置依存情報を同じ位置にいる複数の携帯端末に対して異なった配信をできてよい。
【００２２】
前述の位置特定手段は前述の携帯端末に搭載されたＧＰＳシステムから取得される位置情報、あるいは１以上の前述の携帯端末と接続している無線通信手段の無線基地局と該携帯端末との無線交信状態を解析することによって取得される位置情報あるいはその両者を組み合わせて得られる位置情報により位置を特定すればよい。そしてさらに前述のＧＰＳシステムには必要に応じてジャイロシステムを設けてもよい。
【００２３】
位置依存情報の配信は、通信手段による。ここで通信手段としては、無線、光から選ばれる少なくとも１つによることが望ましい。
【００２４】
位置依存情報を要求するために利用するインデクス情報を指定するために、検索されたインデクス情報から、必要なインデクス情報を選択するインデクス選択手段をさらに備えることが望ましい。
【００２５】
第３の発明は、位置依存情報を配信先となる携帯端末の位置に応じて配信するシステムにおいて、
１）位置依存情報から位置依存情報自身を特定するデータ識別子と位置制約を含むインデクス情報を抽出するインデクス抽出手段、
２）携帯端末の位置を特定する位置特定手段、
３）この携帯端末に備えられ、特定された位置が位置制約を満たすかどうかを判別する判別手段、
４）位置制約を満たすと判別されたインデクス情報を受信する、携帯端末に備えられたインデクス情報受信手段、
５）受信したインデクス情報を利用して位置依存情報を要求してくる携帯端末に対して、データ識別子に対応する位置依存情報を送信する位置依存情報データベース
という構成要素を含むシステムを採用した。
【００２６】
ここで抽出されたインデクス情報を格納するインデクス情報データベースを備える構成としてもよい。前述の抽出された位置依存情報のインデクス情報をインデクス情報ＤＢに格納し、さらに実際の地図上の位置に対応させて前述のデータベースあるいはインデクス情報データベース上に設定された予め地域区分されたデータ領域（配信インデクス情報領域）に振り分け該当部分に格納すると、例えば、位置制約のみを異にする複数の位置依存情報を適当に地域区分されたデータ領域に振り分けて配置することにより、情報の「見え方」を設定するのに効果的である。
【００２７】
インデクス情報受信手段としては、通信によるものと放送によるものとが採用できる。通信手段としては、本発明のシステムで行う個別サービスに応じて、各種電波帯の無線、ＲＦＩＤ、接触ＩＣ、光のいずれかを採用すると効果的である。放送手段としては、無線、光から選ばれる少なくとも１つを採用するとよい。あるいはインデクス情報の受信に、磁気媒体を利用しても良い。
【００２８】
携帯端末に画像取得解析手段を設け、インデクス情報をコード画像化し、このコード画像化された画像を携帯端末の画像取得解析手段によりインデクス情報画像を取得解析する方式をインデクス情報の受信に採用することもよいやり方である。
【００２９】
このインデクス情報をコード化した画像は、ＬＣＤなどの表示手段上での表示もしくは印刷されたコード画像であるとよい。ここで、前述のコードは２次元コードであると、多くのインデクス情報を配信できてよい。また、前述の被印刷媒体は紙であるとチラシや手紙などで配信するなどユニークなサービスを展開できてよい。
【００３０】
前述のインデクス情報受信手段は、インデクス情報受信数制限設定手段を備え、受信できるインデクスの数の上限を設定できると、携帯端末のキャパシティ不足を補う効果や、該当する位置依存情報の情報価値を高める効果を得ることができる。
【００３１】
インデクス情報は、位置依存情報の更新時、所定の時間経過から選ばれる少なくとも１つのタイミングに更新されるとよい。
【００３２】
位置依存情報は、さらに配信先の嗜好属性に関する制約、配信の時間に関する制約、あるいはその両者と関連づけられ、前述の判別手段は配信先の嗜好属性に関する制約、配信の時間に関する制約、あるいはその両者を満たすかどうかをさらに判定するとユーザに必要な時間帯に必要な情報をフィルタリングして受信することができるので効率的な配信となってよい。また、配信先の嗜好属性を入力する嗜好入力手段を備え、前述の判別手段は入力された嗜好属性を判定するとよい。さらには入力された嗜好属性を携帯端末のユーザと関連づけて格納するメモリーを備え、判定は該メモリーに格納された嗜好属性を参照して行われる
【００３３】
ここで位置制約は、インデクス情報が配信許可される地理的範囲を少なくとも含み、さらに必要に応じて携帯端末がインデクス情報を受信許可される地理的範囲を含む制約であると、同じ位置依存情報を同じ位置にいる複数の携帯端末に対して異なった配信をできてよい。
【００３４】
前述の位置特定手段は前述の携帯端末に搭載されたＧＰＳシステムから取得される位置情報、あるいは１以上の前述の携帯端末と接続している無線通信手段の無線基地局と該携帯端末との無線交信状態を解析することによって取得される位置情報あるいはその両者を組み合わせて得られる位置情報により位置を特定すればよい。そしてさらに前述のＧＰＳシステムには必要に応じてジャイロシステムを設けてもよい。
【００３５】
位置依存情報の配信は、通信手段による。ここで通信手段としては、無線、光から選ばれる少なくとも１つによることが望ましい。
【００３６】
位置依存情報を要求するために利用するインデクス情報を指定するために、配信されたインデクス情報から、必要なインデクス情報を選択するインデクス選択手段をさらに備えることが望ましい。
【００３７】
第４の発明においては、位置依存情報を配信先となる携帯端末の位置に応じて配信するシステムにおいて、
１）位置依存情報データベースから位置依存情報を特定するデータ識別子と位置制約を含むインデクス情報を抽出するインデクス抽出手段、
２）インデクス情報を配信の基地局に送信する送信手段、
３）携帯端末の位置を特定する位置特定手段、
４）配信の基地局に備えられた、位置特定手段で特定された位置が該基地局に送信されたインデクス情報に含まれる位置制約を満たすかどうかを判別する判別手段、
５）位置制約を満たすと判別された携帯端末に該当する位置依存情報のインデクス情報を配信する、前述の基地局に備えられたインデクス情報配信手段、
６）配信されたインデクス情報を利用して位置依存情報を要求してくる携帯端末に対して、インデクス情報に含まれるデータ識別子に対応する位置依存情報を送信する位置依存情報データベース
を構成要素として含む配信システムを採用した。
【００３８】
ここで抽出されたインデクス情報を格納するインデクス情報データベースを備える構成としてもよい。前述の抽出された位置依存情報のインデクス情報をインデクス情報ＤＢに格納し、さらに実際の地図上の位置に対応させて前述のデータベースあるいはインデクス情報データベース上に設定された予め地域区分されたデータ領域（配信インデクス情報領域）に振り分け該当部分に格納すると、例えば、位置制約のみを異にする複数の位置依存情報を適当に地域区分されたデータ領域に振り分けて配置することにより、情報の「見え方」を設定するのに効果的である。
【００３９】
インデクス情報の前述の基地局への送信には、通信手段と放送手段とが採用できる。通信手段としては、各種電波帯の無線、光のいずれかを採用するとよい。放送手段としては、無線、光から選ばれる少なくとも１つが望ましい。基地局の立地によっては、有線の通信あるいは有線放送を採用するとよい場合もある。
【００４０】
前述のインデクス情報配信手段は、インデクス情報配信制限設定手段を備え、配信できるインデクスの数の上限を設定できると、該当する位置依存情報の情報価値を高める効果を得ることができる。
【００４１】
インデクス情報は、位置依存情報の更新時、所定の時間経過から選ばれる少なくとも１つのタイミングに更新されるとよい。
【００４２】
位置依存情報は、さらに配信先の嗜好属性に関する制約、配信の時間に関する制約、あるいはその両者と関連づけられ、前述の判別手段は配信先の嗜好属性に関する制約、配信の時間に関する制約、あるいはその両者を満たすかどうかをさらに判定するとユーザに必要な時間帯に必要な情報をフィルタリングして配信することによって、効率的な配信となってよい。また、配信先の嗜好属性を入力する嗜好入力手段を備え、前述の判別手段は入力された嗜好属性を判定するとよい。さらには入力された嗜好属性を携帯端末のユーザと関連づけて格納するユーザデータベースを前述の基地局に備えさせ、判定は該ユーザデータベースに格納された嗜好属性を参照して行われるとよい。
【００４３】
ここで位置制約は、インデクス情報が配信許可される地理的範囲を少なくとも含み、さらに必要に応じて携帯端末がインデクス情報を受信許可される地理的範囲を含む制約であると、同じ位置依存情報を同じ位置にいる複数の携帯端末に対して異なった配信をできてよい。
【００４４】
前述の位置特定手段は前述の携帯端末に搭載されたＧＰＳシステムから取得される位置情報、あるいは１以上の前述の携帯端末と接続している無線通信手段の無線基地局と該携帯端末との無線交信状態を解析することによって取得される位置情報あるいはその両者を組み合わせて得られる位置情報により位置を特定すればよい。そしてさらに前述のＧＰＳシステムには必要に応じてジャイロシステムを設けてもよい。
【００４５】
位置依存情報の配信は、通信手段による。ここで通信手段としては、無線、光から選ばれる少なくとも１つによることが望ましい。
【００４６】
位置依存情報を要求するために利用するインデクス情報を指定するために、配信されたインデクス情報から、必要なインデクス情報を選択するインデクス選択手段をさらに備えることが望ましい効果をえることができる。
【００４７】
【発明の実施の形態】
本発明を実現する発明の態様は、配信手段の組み合わせや配信のトリガーの違いなどにより異なる構成が多数ありえる。ここでは、まずそれぞれの構成に共通する基本的構成要素を説明し、その後にそれら基本構成要素による構成を実施例として紹介する。
【００４８】
【位置依存情報】
本発明で扱う情報を示す重要な概念である。配信可能なエリアを限定する位置制約と配信する本体情報とを基本要素とする情報である。位置制約は様々な定義が可能であるが、後で紹介する実施例では実際の地図をメッシュで切り分け、切り分けられた各メッシュにおける本体情報が示す配信許可の困難さを示す指数（以下、見られる強度属性という）で定義され、配信先となる携帯端末に割り当てられた指数（以下、視力属性）が、所定の関係式を満たす場合、配信を許可する方式を採用している。図１は区切られたメッシュのメッシュＩＤとメッシュ上にある本体情報が示す「見られる強度属性」の一例を示した。この本体情報は、Ａ１を中心にＡ２、Ｂ１、Ｂ２に分布して見られやすくなっている。「∞」と表示された他のメッシュは、見えないエリアであることを示している。本発明の位置制約はこれに限られるものではなく、ユーザの携帯端末の位置を用いて定義できるルールであれば、いかなる位置制約でもかまわない。
【００４９】
情報本体は、テキスト、音声、画像、動画、プログラムなど携帯端末が受信可能な形式のデータならあらゆるものに採用可能である。実施例において位置依存情報は、（情報識別子、情報属性、位置制約、本体情報）という構成になる。ここで情報識別子とは、位置制限情報をユニークに識別するコードであり、実施例の中では位置依存情報データベースから所望の位置依存情報を検索して呼び出すための検索キーとして機能する。属性情報は情報の属性であり、ユーザの嗜好属性、時間属性に対応し、配信の際、不要な情報をフィルタリングするために用いられる。ユーザの嗜好属性は、例えば音楽、スポーツ、ニュースなどの情報のジャンルを採用することができる。時間属性は、ユーザが配信を希望する時間帯などの採用が考えられ、図２はその一例である。ユーザ１〜３それぞれの配信を希望する時間帯を○で示している。
【００５０】
【インデクス情報】
インデクス情報は、位置依存情報に対応する索引的情報であり、ユーザの携帯端末で一覧されるための情報であり、大量の位置依存情報にユーザがアクセスするために必要な最低限度に圧縮された情報である。本実施例では（情報識別子、位置制約、情報属性、表題）という構成の情報である。ここで表題とは、インデクス情報自身を携帯端末上に表示するときに使う表示情報である。
【００５１】
図３は位置依存情報ＤＢからインデクス情報を抽出し、地域別配信インデクス情報ＤＢに格納するまでのフローを示している。まず位置依存情報ＤＢを参照してインデクスを抽出し、このインデクス情報をインデクス情報ＤＢに格納する。さらにこのインデクス情報を地域別に振り分けて地域別配信インデクスＤＢに格納する。この場合の実際上の地図での分割した領域は、図１に示したが、実際の地図上のメッシュをそれぞれＡ１、Ａ２、Ａ３・・Ｄ３、Ｄ４と分割している。それぞれの地域対応するインデクス情報をデータベース上の地域区分の領域に分配格納すればよい。図４にその様子を示した。ここで図１の地域区分Ａ１、Ａ２、・・に対して、位置依存情報の「情報識別子」、「表題」を含みさらに「見られる強度属性」、「嗜好属性」、「時間属性」の項目を含む、インデクス情報が配信される。ここで「見られる強度属性」は、先に説明したようにメッシュ毎に異なる指数が割り当てられており、ユーザ毎に賦与した「視力」とが所定の関係式を満たす限り、配信が許可される仕組みとなっており、位置依存情報の位置制約を具現化する。すなわち、見られる強度属性は該当位置依存情報が、メッシュで特定された位置で示す閲覧困難性を示す属性データであり、視力属性はユーザの携帯端末が閲覧する権限の強さ可能か示す属性データである。この「見られる強度属性」と「視力属性」を比較演算し該当地域でのインデクスの配信を決定する１つの要素とすればよい。
【００５２】
【実施例】
本発明は、インデクス情報の配信が自動配信（実施例１、実施例３）なのか、ユーザが能動的に取得する（実施例２、実施例４）のかで異なったシステムを構成することができる。さらに携帯端末が備える機能（放送受信、コード読取りなど）、インデクス情報をフィルタリングする機能などに注目して分類し、本発明に採用するシステム構成、その変形構成を照会する。
【００５３】
【実施例１】
本発明の第１の実施例（実施例１）では、配信に関する位置制約を含む情報を配信するために、配信先の携帯端末の位置に応じてインデクス情報を自動配信し、ユーザは配信されたインデクス情報を選択し、選択したインデクス情報に対応する情報本体を取得するシステムについて述べる。
【００５４】
図５は実施例１の全体構成を示したの概要図である。
無線機能を備えた携帯端末５０１、５０２、無線基地局５０３、５０４、基地局管理サーバ５０７、ネットワーク５０８、インデクス配信サーバ５０９、位置制約を含む情報を格納する位置依存情報データベース５１０、データ配信サーバ５１１という構成である。５０５は、無線基地局５０３の管理する無線エリア（以下、セルという）を、５０６は無線基地局５０４の管理するセルを表している。
【００５５】
無線機能を備えた携帯端末５０１、５０２として、ここではブラウザフォーンを採用することとする。図５において、携帯端末５０１は無線基地局５０３の管理するセルに、携帯端末５０２は無線基地局５０４の管理するセルに進入した状態となっている。
【００５６】
例えば、図５に示した状態のようにセル５０３に携帯端末５０１が進入し、無線回線を介して無線基地局５０３に接続されると、携帯端末５０１が無線基地局５０３に接続されたことを基地局管理サーバ５０７がインデクス配信サーバ５０９に報告する。このとき基地局管理サーバは、携帯端末５０１が周囲の無線基地局から受信したの電波状況を参照して、携帯端末の位置情報を生成され、進入した携帯端末５０１の端末ＩＤと生成された位置情報が報告として送信される。ここでは無線基地局から受信した電波状況を解析して位置情報を生成する測位方法を採用したが、ＧＰＳ機能を備えたブラウザフォーンを用いて、該当するブラウザフォーンが受信したＧＰＳ信号を解析する方法を採用すると精度の高い位置情報を生成することができる。あるいは、ＧＰＳ信号の受信状況に応じて、ＧＰＳからの情報と無線基地局から受信した電波状況とを両方使って、天候・地形などの理由で十分なＧＰＳ信号を得られない状況でも次善の位置情報を生成する方法を採用しても良い。
【００５７】
インデクス配信サーバ５０９は、基地局サーバからの報告で受け取った位置情報にマッチする位置制限情報に含まれる位置制約を参照して、位置制限情報データベース５１０内の位置依存情報を判別し、判別された位置依存情報からインデクス情報を抽出し、抽出されたインデクス情報を携帯端末５０１に配信する。
【００５８】
ここで位置制約により判別される仕組みを位置依存情報に関連づけられた「見られる強度属性」とユーザの携帯端末の属性として登録された「視力属性」で決まる位置制約でのマッチングを一例として説明する。ここで採用されたマッチングに本発明は限定されるものではなく、様々なマッチングを採用することが可能である。
【００５９】
見られる強度属性は該当位置依存情報が、特定の場所での閲覧困難さを示す属性データであり、視力属性はユーザの端末がどの程度特定の場所で情報を閲覧可能か示す属性データである。この「見られる強度属性」と「視力属性」を比較演算し該当地域でのインデクスの配信を決定する１つの要素とすればよい。
【００６０】
図６に前述の「見られる強度属性」と「視力属性」を比較演算の例を示している。ここで該当地域における位置依存情報から抽出された「見られる強度」をＸとし、同様に該当地域におけるユーザ端末の「視力属性」をＹとした場合インデ
ックスの配信を決定する要素の１つとしてＸ＜Ｙの場合に検索マッチングが行われると規定している。図７に実際の「見られる強度属性」：Ｘと「視力属性」：Ｙに数値データを入れた場合の事例を示したが、メッシュＩＤＡ１においてはＸ＝２．８であり、Ｙ＝６．０であるので判定は○で検索マッチング成立となっている。同様にＡ２ではＸ＝５．２であり、Ｙ＝６．０で検索マッチングは成立、Ｂ１ではＸ＝１０．０であり、Ｙ＝６．０で検索マッチングは×で不成立、Ｂ２ではＸ＝８．３であり、Ｙ＝６．０で検索マッチングは不成立を示している。
【００６１】
図８はインデクス配信サーバ５０９の内部構成である。受信部８０１が報告された端末ＩＤと携帯端末の位置情報を受信し、端末情報管理部８０２に管理される。受信した位置情報は判別部８０３に送られ、位置依存情報データベース１１０内に格納された情報に含まれる位置制約を参照しマッチする位置依存情報を判別する。インデクス抽出部８０４では、判別された位置依存情報から、データベースに格納するときに予め付与しておいた情報属性、位置依存情報の表題アイコン、位置依存情報の識別子（以下、情報識別子という）を含むインデクス情報を抽出する。属性フィルター部８０５では、端末ＩＤを参照して携帯端末５０１のユーザが予め登録した配信されるべきインデクス情報の情報属性をユーザ設定データベース８０６から検索し、検索された情報属性をフィルターとして配信されるべきインデクス情報を選択する。送信部８０７では、選択されたインデクス情報を基地局管理サーバ５０７及び無線基地局５０３を介して携帯端末５０１へ配信するようになっている。
【００６２】
携帯端末５０１のユーザは、配信されたインデクス情報の表題アイコンを携帯端末にブラウザ表示し、所望の位置依存情報を示す表題アイコンを選択する。表題アイコンが選択されると、該当する位置依存情報に対応する情報識別子を含む要求信号がデータ配信サーバ５１１に対して送信される。
【００６３】
図９はデータ配信サーバ５１１の内部構成である。受信部９０１は、要求信号を受け取り、要求信号に含まれる情報識別子がデータ検索部９０２に送られる。データ検索部５０２は、情報識別子を検索キーとして位置情報データベース５１０から該当する位置依存情報を検索する。送信部５０３において、検索された位置依存情報が携帯端末５０１に対して配信される。
【００６４】
次にユーザの位置依存情報取得の一例として、を音楽ＣＤ情報の場合を画面遷移によって説明する。図１０はユーザの携帯端末におけるインデクス情報の表示例（位置依存情報の表題）である。ここで浜田あゆみＣＤ情報を選択すると情報識別子により該当位置依存情報が表示されるが、その様子を図１１に示した。
【００６５】
前述の例はユーザが携帯端末でインデクス情報を取得した直後に配信されたインデクス情報から選択して、ユーザ所望の位置依存情報を取得した場合であるが、配信されたインデクス情報を一旦携帯端末のメモリーに保存し後からインデクス情報を呼び出して選択する場合について説明する。
【００６６】
図１２にその様子を示した。ここでは配信されたインデクス情報を携帯端末のメモリーに蓄積しておき、ユーザが必要となった時にメモリーからインデクス情報を呼び出して選択している。ユーザが選択したインデクスに対応する位置依存情報は、携帯端末の現在位置によって配信が制限されるが、この配信可能か不可能かの判断を行う必要がある。ここではまず携帯端末の現在位置を取得し、ユーザが選択したインデクス情報に対応する位置依存情報の位置に適合するかどうかを判断する判断手段により端末位置情報と該当位置依存情報の位置の合致判断を行い合致している場合にのみ情報識別子によって該当位置依存情報を取得し表示している。
【００６７】
このように制約を厳しくすることで、配信情報の性質によっては地域限定という情報価値をより高めることとなる。
【００６８】
【実施例１の変形】
配信先の携帯端末の位置に応じて、インデクス情報を自動配信するシステム構成は上記のシステム構成に限られるものではなく、様々の変形構成が採用可能である。図１３に携帯端末（無線携帯ブラウザ端末）１３０１に近距離無線基地局１３０２を通じてサイト１３０３よりインデクス情報が配信される実施例１の変形構成の一例を示した。
【００６９】
サイト１３０３においてはユーザ別の情報蓄積したユーザデータベースを設けてあり、さらに各基地局は（図１３では便宜上１基しか描かれていないが、通信エリアの数だけ複数存在する）予め基地局位置が登録してあり位置基地局ＩＤにより基地局位置を判別している。サイト１３０３により携帯端末の位置情報（どこの近距離無線基地局と無線交信しているか）を管理している場合の例である。１３０３において該当端末の位置を監視しており該当ユーザの携帯端末が特定の地域（所定地域）に入ったら、ユーザＤＢから該当ユーザの視力属性、嗜好属性を取得する。そしてこの端末位置、嗜好属性、視力属性・見られる強度属性からのマッチング検索結果、時間属性により地域別配信インデクス情報ＤＢから配信インデクスを検索し、検索結果を携帯端末に自動送信（プッシュ）する。
【００７０】
前述の場合、配信されるインデクスの数に制限はなく、検索された全てのインデックスが携帯端末に送信されるが、携帯端末は画面も小さく膨大なインデクスが送信された場合、ユーザのインデクス選択が大変になる可能性がある。その場合にユーザへのインデクス送信の数の制限方法について説明する。図１４は、そのフローである。まず配信インデクスを抽出するが、抽出したインデクスの数が所定数より多いかどうかを判別する。少ない場合にはそのまま配信し、多い場合には、予め登録しておいた優先する情報種別の順位などを設定したインデクス配信優先順位ルールを呼び出し、そのルールに従ってさらにインデクスを抽出し、所定数以下になったら配信すればよい。
【００７１】
【実施例２】
実施例２では、配信に関する位置制約を含む情報を配信するために、配信先の携帯端末の位置に応じたインデクス情報を無線通信によりユーザが能動的に取得し、ユーザは取得したインデクス情報を選択し、選択したインデクス情報に対応する情報本体を取得するシステムについて述べる。ここでは、インデクスの配信手段として無線ＬＡＮを採用した場合を例にシステムを構成しているが、これに限られるものではなく、無線公衆回線を用いても同様の効果を得る構成が可能である。
【００７２】
図１５は実施例２の基本構成を示したの概要図である。
無線ＬＡＮ機能を備えた携帯端末１５０１、１５０２、無線ＬＡＮの基地局１５０３、１５０４、基地局管理サーバ１５０７、ネットワーク１５０８、ウェブサーバ１５０９、ユーザ情報データベース１５１０、インデクス情報データベース１５１１，位置制約を含む情報を格納する位置依存情報データベース１５１２という構成である。１５０５は、無線基地局１５０３の管理する無線ＬＡＮエリア（以下、ホットスポットという）を、１５０６は無線基地局１５０４の管理するホットスポットを表している。
【００７３】
無線ＬＡＮ機能を備えた携帯端末１５０１、１５０２として、ここでは所定の規格の無線ＬＡＮカードを搭載した情報機器（ＰＤＡ、ノートパソコン、ゲーム専用用端末など）を採用する。
【００７４】
例えば、図１５に示した状態のようにホットスポット１５０３に携帯端末１５０１のユーザが進入し、ユーザがこの携帯端末を起動して、無線ＬＡＮを介して本発明のサービスを提供するウェブサーバ１５０９にアクセスする。このとき基地局管理サーバは、携帯端末１５０１が接続している無線ＬＡＮ基地局１５０３の基地局ＩＤをウェブサーバ１５０９に通知する。ここでは無線ＬＡＮ基地局の基地局ＩＤを位置情報として採用したが、携帯端末がＧＰＳ機能を備えていれば、受信したＧＰＳ信号を解析する方法を採用することにより、より精度の高い位置情報を通知することができる。あるいは、ＧＰＳ信号の受信状況に応じて、ＧＰＳからの情報と基地局ＩＤとの両方を切り換える方法にすると、現状のようにホットスポットが主として屋内である状況でも次善の位置情報を通知できる。
【００７５】
ウェブサーバ１５０９は、基地局管理サーバからの報告で受け取った基地局ＩＤにマッチする位置制約を参照して、インデクス情報データベース１５１１内からインデクス情報を選択し、選択されたインデクス情報を携帯端末１５０１に送信し、インデクス情報に含まれる表題をブラウザ表示する。この表題はハイパーテキストであり、表題をクリックすることにより、位置依存情報データベースを検索することにより位置依存情報にアクセスすることができる。
【００７６】
図１６はウェブサーバ１５０９の内部構成である。通信制御部１６０１、画面生成部１６０２、ユーザ認証部１６０３、インデクス検索部１６０４、情報検索部１６０５から構成されている。通信制御部１６０１は、ユーザからのアクセスや、ユーザの携帯端末への情報送信を制御する。
【００７７】
画面生成部１６０２は、ユーザに配信するインデクス情報に含まれる表題をハイパーテキストとしてブラウザ表示する画面や位置依存情報を表示する画面を生成する。ユーザ認証部１６０３は、ユーザ情報データベース１５１０を参照し、本サービスの会員であることを認証し、予めユーザが登録した希望の嗜好属性や配信指定時間などの属性情報を参照する。
【００７８】
インデクス検索部１６０４は、位置制約もしくは位置制約と属性情報（フィルター）を参照して配信するインデクス情報をインデクス情報データベース１５１１からの検索（フィルタリング）を行う。情報検索部１６０５は、ユーザからの本体情報要求に含まれる情報識別子を参照して対応する位置依存情報を位置依存情報データベース１５１２から検索する。
【００７９】
図１７は、本発明のサービスを行うウェブサーバ１５０９にアクセスしてきたユーザが、本発明のサービスを受けるときのフローである。
アクセスステップ１７０１において、本システムのユーザが自身の携帯端末から、ホットスポット内でネットワーク接続を行い、本サービスのウェブサーバ１５０９にアクセスする。この時ユーザがいるホットスポットの無線ＬＡＮ基地局の基地局ＩＤも通知される。
【００８０】
認証ステップ１７０２において、本サービスを受けるユーザかどうかの認証のため、ユーザＩＤとパスワードの入力が行われ、ユーザ情報データベースに登録された情報が照会される。
【００８１】
要求入力ステップ１７０３において、ユーザの希望する嗜好属性の選択が行われる。初回のみ入力することとして、ユーザ情報データベースに登録しておく方式であれば、以後のアクセスではこのステップは省略できる。図１８は嗜好属性選択画面の一例である。
【００８２】
位置情報作成ステップ１７０４において、基地局ＩＤを位置制約で用いる地域区分（メッシュＩＤ）に変換する。図１９は、基地局ＩＤ・メッシュＩＤ変換テーブルを示したものである。
【００８３】
フィルタリングステップ１７０５において、位置制約、各種属性情報を参照して配信するインデクス情報のフィルタリングが行われる。
【００８４】
インデクス表示画面生成ステップ１７０６において、フィルタリングされたインデクス情報の表題を一覧する画面が生成される。
【００８５】
インデクス表示ステップ１７０７において、ユーザの携帯端末にインデクス情報の表題が表示されることにより、ユーザへのインデクス情報配信が完了する。図２０はその表示画面である。ここでは表題は本体情報を示す画像アイコンとして表されている。
【００８６】
インデクス選択ステップ１７０８において、ブラウザ表示された表題をクリックして情報要求が行われる。情報要求信号は、情報検索部１６０５に送出され、インデクス情報に含まれている情報識別子を検索キーに位置依存情報データベースから検索される。
【００８７】
情報表示ステップ９において、情報本体の表示もしくは再生がユーザの携帯端末で行われ、位置依存情報の取得が完了する。図２１は本体情報の表示の一例である。
【００８８】
ここでは情報識別子を検索キーとして、検索された位置依存情報をそのまま配信したが、本発明はこの方法に限られるものではなく、要求信号送信時に再び携帯端末の位置を測定し、測定された位置が位置制約を満たすかどうか判定し、位置制約を満たすときのみ配信する方式でもよい。このように制約を厳しくすることで、配信情報の性質によっては地域限定という情報価値をより高めることとなる。
【００８９】
【実施例２の変形】
配信先の携帯端末の位置に応じたインデクス情報を無線通信によりユーザが能動的に取得するシステム構成は上記のシステム構成に限られるものではなく、様々の変形構成が採用可能である。
【００９０】
図２２は携帯端末（無線携帯ブラウザ端末）２２０１に無線公衆回線の基地局２２０２を通じてサイト２２０３にアクセスして、インデクス情報を取得する場合の変形構成である。サイト２２０３において、ユーザ別の情報蓄積したユーザデータベースを設けてあり、さらにキャリアロケーションサーバ２２０４で携帯端末の位置情報を管理している場合の例である。
【００９１】
図２３は、この変形構成でのインデクス配信のフローである。
まずアクセスステップ２３０１において、携帯端末２２０１より、サイト２２０３にアクセスする。次に位置情報取得ステップ２３０２において、キャリアロケーションサーバ２２０４よりユーザの携帯端末の位置情報を取得する。属性入力ステップ２２０３において、ユーザはサイト上で視力属性、嗜好属性を選択入力する。入力された属性はユーザデータベースに記憶され、２回目以降のアクセス時には、入力をスキップする設定とされる。フィルタリングステップ２３０４において、端末位置、嗜好属性、視力属性・見られる強度属性からのマッチング検索結果、時間属性により地域別配信インデックス情報ＤＢから配信インデックスを検索する。インデクス配信ステップ２３０５において、検索結果を携帯端末に送信する。
【００９２】
キャリアロケーションサーバ２２０４は携帯端末２２０１に搭載したＧＰＳシステムのデータあるいは端末と接続している基地局２２０２と携帯端末間のアクセス状況解析結果あるいはその両者をから解析した位置情報を監視している。
【００９３】
【実施例３】
本発明の第３の実施例（実施例３）では、放送などで自動配信されてきたインデクス情報を載せた電波を受信する機能やインデクス情報をフィルタリングする機能を備えた携帯端末を構成要素として含み、ユーザはフィルター機能によって選別受信したインデクス情報を利用して配信サーバにアクセスし、インデクス情報に対応する位置制限情報を取得できるシステムについて述べる。
【００９４】
図２４は実施例３の全体構成を示したの概要図である。
携帯端末２４０１、無線基地局２４０２、基地局管理サーバ２４０３、情報配信サーバ２４０４、インデクス情報データベース２４０５、位置制約を含む情報を格納する位置依存情報データベース２４０６、放送局２４０７、放送衛星２４０８という構成である。
【００９５】
図２５は、本発明の携帯端末の内部構成を示した図である。測位部２５０１、放送受信部２５０２、無線通信部２５０３、属性フィルター部２５０４、メモリー部２５０５という構成である。
【００９６】
測位部２５０１では、ＧＰＳを採用し、ＧＰＳ信号を受信して緯度経度情報を生成する。生成された緯度経度情報は、予め設定した地図上に振り分けられたメッシュＩＤに変換され、本発明の位置制約によるフィルタリングに用いられる。
放送受信部２５０２には、放送衛星２４０８からの放送波を受信する方式を採用するが、その他の放送メディアとしては地上波、ＦＭ多重局、光ビーコン、または電波ビーコン、あるいはポケットベルなどで利用されるページャー波を採用することも可能である。受信した電波信号を元のインデクス情報に復号する。
【００９７】
無線通信部２５０３には、無線ＬＡＮ方式を採用する。属性フィルター部２５０４では、受信したインデクス情報を位置制約、嗜好属性、時間などの属性によって判別する。メモリー部２５０５は、属性フィルターで判別されたインデクス情報を選択して記憶しておく。ＧＵＩ部２５０６には、フィルタリングされたインデクス情報を表示し、希望するインデクス情報を選択して、位置依存情報を要求するなど入出力に用いられる。
【００９８】
図２４における無線基地局２４０２は、無線ＬＡＮの基地局であり、携帯端末２４０１の無線ＬＡＮ機能を使って、無線基地局２４０２、無線回線を介して情報配信サーバ２４０４にアクセスすることができる。
【００９９】
放送局２４０７は、インデクス情報データベース２４０５に格納されたインデクス情報を嗜好属性別に放送衛星２４０８から送信する。
【０１００】
インデクス情報は、位置依存情報データベース２４０６から所定の情報項目を抜き出す方法で抽出され、抽出された情報項目を配信先の携帯端末に表示させるための「表題アイコン」情報と関連づけて、インデクス情報データベース２４０５に格納される。
【０１０１】
携帯端末２４０１のユーザは、受信したインデクス情報の表題アイコンを携帯端末にブラウザ表示し、所望の位置依存情報を示す表題アイコンを選択する。表題アイコンが選択されると、該当する位置依存情報に対応する情報識別子を含む要求信号がデータ配信サーバ２４０４に対して送信される。このアクセスのタイミングで携帯端末の測位も行われ、生成された位置情報も同時に送信される。
【０１０２】
図２６はデータ配信サーバ２４０４の内部構成である。受信部２６０１は、要求信号を受け取り、要求信号に含まれる情報識別子がデータ検索部２６０２に送られる。データ検索部２６０２は、情報識別子を検索キーとして位置情報データベース２４０６から該当する位置依存情報を検索する。判定部２６０３は、同時に送信された位置情報が検索された位置依存情報に含まれる位置制約を満たすかどうかの判定が行われる。位置制約を満たす場合のみ本体の情報を送信部２６０４からユーザに対して送信する。
【０１０３】
【実施例３の変形】
放送などで自動配信されてきたインデクス情報を載せた電波を受信する機能やインデクス情報をフィルタリングする機能を無線基地局に持たせる変形構成の採用も可能であり、図２７はその構成図である。無線基地局２７０２は近距離無線用アンテナと放送受信用のアンテナを備え、携帯端末と無線通信するだけでなく、放送を受信する機能を果たす。
【０１０４】
放送されてくるインデクス情報のうち無線基地局の位置するエリアのインデクス情報を選択して受信し、エリア配信用インデクス情報ＤＢ２７０６に格納する。携帯端末（無線携帯ブラウザ端末）２７０１が、近距離無線のエリアに進入し、近距離無線基地局２７０２に接続すると、ユーザデータベース２７０７に登録された携帯端末のユーザ属性を参照してフィルタリングされたインデクス情報を受信する。予め位置依存情報データベース２７０３よりインデックス情報を抽出しておき、インデクス情報データベース２７０４に送出される。インデクス情報データベース２７０４においては、近距離無線基地局に対応している地域別にインデクス情報が振り分けられて格納され、放送局２７０５からのインデクス情報の放送は、前述の近距離無線局に対応している地域別に分けて放送し、無線基地局はその位置する地域に属するインデクス情報だけをフィルタリングして受信し、エリア配信インデクス情報データベース２７０６に格納する。
【０１０５】
【実施例４】
本発明の第４の実施例（実施例４）では、携帯端末のユーザがインデクス情報を配信する媒体に直接アクセスし、インデクス情報を読みとり、そのアクセス端末の位置が位置制約を満たす場合にインデクス情報に対応する位置制限情報を配信するシステムについて述べる。
【０１０６】
図２８は実施例４の全体構成を示したの概要図である。
ＲＦＩＤリーダ・ライタ２８０２を備えた携帯端末２８０１、ＲＦＩＤ（Ｒａｄｉｏ　Ｆｒｅｑｕｅｎｃｙ　Ｉｄｅｎｔｉｆｉｃａｔｉｏｎ）２８０４を備えた看板２８０３、無線ＬＡＮ基地局２８０５、基地局データベース２８０６、ネットワーク２８０７、配信サーバ２８０８、位置依存情報データベース２８０９という構成である。
【０１０７】
ここでＲＦＩＤリーダ・ライタを備えた携帯端末２８０１は、無線ＬＡＮ機能を備える。無線ＬＡＮ基地局のホットスポットにおいて、ウエブサービスを享受することができる。
【０１０８】
看板に備えられたＲＦＩＤ２８０４は、プラスチック製などのカード又はタグにループアンテナとＩＣチップを内蔵したものであり、看板の所望の位置に設置することができる。ＲＦＩＤリーダ・ライタ２８０２からの質問波に応じて、インデクス情報を通知する応答波をループアンテナから放射させるための制御回路を含んでいる。ＲＦＩＤは、ネットワーク２８０７に接続しており、位置制約情報データベース２８０９が更新されるタイミングでネットワーク経由で更新する事ができる。
【０１０９】
無線ＬＡＮ基地局２８０５は、位置依存情報を配信する機能を備え、基地局データベース２８０６に格納された位置依存情報を配信する。
【０１１０】
基地局管理サーバ２８０７は、無線ＬＡＮ基地局にその位置に応じた「見られる強度属性」と関連づけて各基地局データベースに分散させて格納した位置依存情報を管理する。
【０１１１】
看板２８０３からインデクス情報を読み取ったユーザが、携帯端末２８０１を使ってホットスポットに進入し、無線ＬＡＮを介して無線ＬＡＮ基地局２８０５に接続し、インデクス情報を使って位置依存情報を要求すると、無線ＬＡＮ基地局２８０５は、予め登録されている基地局自身が存在する位置が、インデクス情報に含まれる位置制約を満たすかどうかを前述の「見られる強度属性」「視力属性」の判別と同様に判別し、配信許可された場合にのみ当該ユーザは要求した位置依存情報を取得することができる。
【０１１２】
配信許可された場合、無線ＬＡＮ基地局２８０５は、基地局データベース２８０６からインデクス情報に含まれる情報識別子を参照して、位置依存情報を該当する携帯端末に配信する。
【０１１３】
【実施例４の変形構成】
ここではＲＦＩＤを採用したが、本実施例のインデクス情報通知にバーコード、ＱＲコード（２次元コード）、あるいは看板に設置した液晶画面に表示した各種コードでもよい。この場合、携帯端末は対象となるコードに対応するリーダを備えることになる。図２９は、ＱＲコードを採用した場合の変形構成である。例えばＱＲコードを印刷したチラシを該当地域内のホットスポット領域に置いておく場合などに有効である。チラシという紙媒体の持つ視認性のよさを活かしてユーザに情報を訴え、動機付けを行い同時にＱＲコードにおいてインデックス情報を配信することが可能となる。
【０１１４】
ＱＲコード・リーダ２９０２を備えた携帯端末２９０１、ＱＲコード２９０４を印刷したチラシ２９０３、無線ＬＡＮ基地局２９０５、基地局データベース２９０６、ネットワーク２９０７、位置依存情報データベース２９０８という構成である。
【０１１５】
図３０は、ＱＲコード２９０４に記述されたインデクス情報の一例である。表題、位置制約、情報識別子という構成である。表題はインデクス情報を読み取ったユーザの端末に表示される情報である。位置制約は、当該インデクス情報に対応する位置依存情報の配信に関する位置制約である。前述の見られる強度属性、視力属性などで決まる配信許可、不許可を判別するための条件である。情報識別子は、本体情報を取得するために利用される。
【０１１６】
図３１は、携帯端末２９０１の内部構成を示した図である。
画像取得部（ＱＲコード・リーダ）３１０１、画像解析部３１０２、通信制御部３１０３、ＧＵＩ部３１０４、メモリー部３１０５という構成である。画像取得部（ＱＲコード・リーダ）３１０１でチラシ２９０３に印刷されたＱＲコードの画像を取得する。画像解析部３１０２は、読み取られた画像を解析し、インデクス情報に復号する。通信制御部３１０３は、無線ＬＡＮによる位置依存情報データベース２９０８との通信を制御する。ＧＵＩ部３１０４は、ユーザによる通信、ＱＲコード読み取りを制御する。メモリー部３１０５は、複合化したインデクス情報を記憶する。
【０１１７】
チラシ２９０３からインデクス情報を読み取ったユーザが、携帯端末２９０１を使ってホットスポットに進入し、無線ＬＡＮを介して無線ＬＡＮ基地局２９０５に接続し、情報識別子を使って位置依存情報を要求すると、無線ＬＡＮ基地局２９０５は、予め登録されている基地局自身が存在する位置とインデクス情報に含まれる位置制約とを参照して判別し、配信許可された場合にのみ当該ユーザは要求した位置依存情報を取得することができる。
【０１１８】
配信許可された場合、無線ＬＡＮ基地局２９０５は、インデクス情報に含まれる情報識別子を参照して、基地局データベース２９０６から位置依存情報を該当
する携帯端末に配信する。
【０１１９】
【発明の効果】
以上述べたように、本発明によれば位置依存情報を迅速にアクセス可能とするためにインデクス情報ＤＢ、地域別に格納した地域別配信インデクス情報ＤＢを設けることあるいは、地域別インデクス配信検索情報ＤＢを設けることによって、地域限定情報ＤＢへのアクセスを分散し、効率的な配信を可能にする効果がある。さらには、位置制約を適切に付与することにより、特定の位置依存情報の情報価値を高める効果を得ることができる。
【図面の簡単な説明】
【図１】メッシュＩＤと見られる強度属性の分布
【図２】時間属性（配信希望時間帯）
【図３】インデクス情報抽出・格納のフロー
【図４】地域区分に分配格納した様子
【図５】実施例１の全体構成
【図６】見られる強度属性・視力属性検索マッチングの例
【図７】マッチング検索の事例
【図８】インデクス配信サーバの内部構成
【図９】データ配信サーバの内部構成
【図１０】インデクス情報の表示
【図１１】位置依存情報の表示
【図１２】インデクス情報選択のフロー
【図１３】実施例１の変形構成
【図１４】インデクス送信数制限のフロー
【図１５】実施例２の基本構成
【図１６】ウェブサーバの内部構成
【図１７】サービスを受けるときのフロー
【図１８】嗜好属性選択画面
【図１９】基地局ＩＤ・メッシュＩＤ変換テーブル
【図２０】表題の表示
【図２１】本体情報の表示
【図２２】実施例２の変形構成
【図２３】インデクス配信のフロー
【図２４】実施例３の全体構成
【図２５】携帯端末の内部構成
【図２６】データ配信サーバ２４０４の内部構成
【図２７】実施例３の変形構成
【図２８】実施例４の全体構成
【図２９】実施例４の変形構成
【図３０】ＱＲコードの情報
【図３１】携帯端末の内部構成
【図１】
2004005339.tif 000003
【図２】
2004005339.tif 000004
【図３】
2004005339.tif 000005
【図４】
2004005339.tif 000006
【図５】
2004005339.tif 000007
【図６】
2004005339.tif 000008
【図７】
2004005339.tif 000009
【図８】
2004005339.tif 000010
【図９】
2004005339.tif 000011
【図１０】
2004005339.tif 000012
【図１１】
2004005339.tif 000013
【図１２】
2004005339.tif 000014
【図１３】
2004005339.tif 000015
【図１４】
2004005339.tif 000016
【図１５】
2004005339.tif 000017
【図１６】
2004005339.tif 000018
【図１７】
2004005339.tif 000019
【図１８】
2004005339.tif 000020
【図１９】
2004005339.tif 000021
【図２０】
2004005339.tif 000022
【図２１】
2004005339.tif 000023
【図２２】
2004005339.tif 000024
【図２３】
2004005339.tif 000025
【図２４】
2004005339.tif 000026
【図２５】
2004005339.tif 000027
【図２６】
2004005339.tif 000028
【図２７】
2004005339.tif 000029
【図２８】
2004005339.tif 000030
【図２９】
2004005339.tif 000031
【図３０】
2004005339.tif 000032
【図３１】
2004005339.tif 000033